(57)【要約】      （修正有）【課題】電子機器が収容されている電子機器用筐体を、壁面取付や据え置きなどの方法により設置する場合に、内部の冷却効果を妨げる設置ミスを防止し、共用することができる電子機器用筐体取付金具及び電子機器用筐体を提供する。【解決手段】ラック取付においては、各取付金具１を、筐体側面１０ｈの筐体正面１０ａの近傍に、取付部２の筐体取付孔５を利用して取り付けるとともに、他方の取付部３を、その前記ラック取付孔７又は切欠き６を利用して収納ラックに取り付ける。一方、壁面取付及び据え置きにおいては、筐体側面１０ｈの筐体背面１０ｃの近傍に、取付部２を筐体側面１０ｈに沿わせつつ筐体前方に向けて配置して、取付部２の筐体取付孔４を利用して取り付けるとともに、他方の取付部３を壁面に当接した状態で、壁面と筐体背面１０ｃと間に、通気用の一定のクリアランスを生じさせる。【選択図】図４
2010192490.tif 000002
【特許請求の範囲】
【請求項１】
電子機器を収容する電子機器用筐体を、ラック取付又は壁面取付或いは据え置きなどの方法により設置する際に用いる電子機器用筐体の取付金具であって、
当該取付金具は、左右の各筐体側面に取り付けられる左右一対のものであり、当該各取付金具は、横断面において一対の取付部がＬ字状をなし、少なくとも一方の当該取付部には、前記筐体側面に取り付ける際に利用可能な筐体取付孔が設けられ、少なくとも他方の当該取付部には、収納ラックに取り付けるラック取付孔又は切欠きが設けられており、
前記ラック取付においては、前記各取付金具は、前記筐体側面の筐体正面近傍に、一方の前記取付部を前記筐体側面に沿わせつつ筐体後方に向けて配置されて、当該取付部の前記筐体取付孔を利用して取り付けられるとともに、他方の前記取付部が、その前記ラック取付孔又は切欠きを利用して収納ラックに取り付けられ、
壁面取付及び据え置きにおいては、前記各取付金具は、前記筐体側面の筐体背面近傍に、一方の前記取付部を前記筐体側面に沿わせつつ筐体前方に向けて配置されて、当該取付部の前記筐体取付孔を利用して取り付けられるとともに、他方の前記取付部が壁面に当接した状態で、当該壁面と筐体背面と間に、通気用の一定のクリアランスを生じることを特徴とする電子機器用筐体取付金具。
【請求項２】
前記ラック取付孔又は切欠きが、複数の規格に対応するピッチで設けられており、異なる前記規格の前記ラック取付孔又は切欠きが、異なる形状で形成されていることを特徴とする請求項１記載の電子機器用筐体取付金具。
【請求項３】
前記ラック取付における前記筐体取付孔と、壁面取付及び据え置きにおける前記筐体取付孔とが、別々に設けられており、前記ラック取付において、前記各筐体側面に取り付けられた前記取付金具の他方の前記取付部が、筐体正面と面一の状態になることを特徴とする請求項１又は２記載の電子機器用筐体取付金具。
【請求項４】
左右の各筐体側面を一対の取付金具によってそれぞれ支持させて、ラック取付又は壁面取付或いは据え置きなどの方法により設置することができる電子機器用筐体であって、
前記各取付金具は、横断面において一対の取付部がＬ字状をなし、少なくとも一方の当該取付部には、前記筐体側面に取り付ける筐体取付孔が設けられ、少なくとも他方の当該取付部には、前記収納ラックに取り付けるラック取付孔又は切欠きが設けられており、
前記ラック取付においては、前記各取付金具が、前記筐体側面の筐体正面近傍に、一方の前記取付部を前記筐体側面に沿わせつつ筐体後方に向けて配置されて、当該取付部の前記筐体取付孔を利用して取り付けられるとともに、他方の前記取付部が、その前記ラック取付孔又は切欠きを利用して前記収納ラックに取り付けられ、
壁面取付及び据え置きにおいては、前記各取付金具は、前記筐体側面の筐体背面近傍に、一方の前記取付部を前記筐体側面に沿わせつつ筐体前方に向けて配置されて、当該取付部の前記筐体取付孔を利用して取り付けられるとともに、他方の前記取付部が壁面に当接した状態で、当該壁面と前記筐体背面と間に、通気用の一定のクリアランスを生じることを特徴とする電子機器用筐体。
【発明の詳細な説明】
【技術分野】
【０００１】
本発明は、電子機器ユニットを収容することができる電子機器用筐体と、当該筐体を、ラック取付又は壁面取付或いは据え置きなどの方法により設置する際に用いる電子機器用筐体取付金具に関する。
【背景技術】
【０００２】
病院や学校、集合住宅などにおける共同受信設備において、例えば、地上デジタル放送のチャンネルを既存のアナログテレビで視聴可能にするため、デジタル波をアナログ波に変換するための地デジ・アナログコンバータを設置する場合がある。地デジ・アナログコンバータは、各チャンネルに一台ずつ設けられ、電源ユニットと共に１つの筐体の中に収容されている。電源ユニット及び地デジ・アナログコンバータユニットが収容されている筐体は、一般的に、専用の収納ラックに収納されて共同受信設備に設置される。筐体は、通常、Ｌ字型の断面形状を有する取付金具によって収納ラックへの取り付けが行なわれている。取付金具は、二本一組になっており、互いに左右対称となる形状を備え、そして各取付金具は、Ｌ字の各辺に相当する部分がそれぞれ取付部になっており、螺子止め用の取付孔が設けられている。このような取付金具を、筐体の左右各筐体側面に配置し、一方の取付部を筐体側面に螺子止めするとともに、他方の取付部を、収納ラックの左右両端に設けられている螺子止め部に、縦方向に所定のピッチで形成されている複数の螺子孔のいずれかを使って螺子止めする。こうして、筐体は、左右の筐体側面を取付金具によって支持された状態で、収納ラックに取り付けられている（例えば、特許文献１参照）。
【０００３】
このように、電子機器ユニットが収容されている筐体は、通常、専用の収納ラックに収納されて設置されるが、一方で、収納ラック以外の壁面取付や据え置きなどの設置方法に対する要望もある。
【先行技術文献】
【特許文献】
【０００４】
【特許文献１】特開平０４−１３２２９８号公報（第２頁〜第４頁、第１図〜第９図）
【発明の概要】
【発明が解決しようとする課題】
【０００５】
しかしながら、壁面取付や据え置きなどの方法による筐体の設置を、ユーザーや設備事業者などに任せておくと、設置の仕方によっては、筐体に設けられている換気用の通気孔が、壁面によって塞がれた状態になり、内部における十分な冷却効果を得ることができず、故障や誤動作などを引き起こす原因となるおそれがある。
【０００６】
そこで、本発明は、発熱部品が組み込まれた電源ユニットや地デジ・アナログコンバータユニットが収容されている電子機器用筐体を、壁面取付や据え置きなどの方法により設置する場合に、内部の冷却効果を妨げる設置ミスを防止し、しかも、ラック取付又は壁面取付或いは据え置きなどの設置方法において、共用することができる電子機器用筐体取付金具及び電子機器用筐体の提供を目的としている。
【課題を解決するための手段】
【０００７】
請求項１記載の電子機器用筐体取付金具は、電子機器を収容する電子機器用筐体を、ラック取付又は壁面取付或いは据え置きの方法により設置する際に用いる電子機器用筐体の取付金具であって、当該取付金具を、左右の各筐体側面に取り付けられる左右一対のものとする。当該各取付金具は、横断面において一対の取付部がＬ字状をなし、少なくとも一方の当該取付部には、前記筐体側面に取り付ける筐体取付孔を設け、少なくとも他方の当該取付部には、収納ラックに取り付けるラック取付孔又は切欠きを設ける。
【０００８】
そして、前記ラック取付においては、前記各取付金具を、前記筐体側面の筐体正面近傍に、一方の前記取付部を前記筐体側面に沿わせつつ筐体後方に向けて配置して、当該取付部の前記筐体取付孔を利用して取り付けるとともに、他方の前記取付部を、その前記ラック取付孔又は切欠きを利用して収納ラックに取り付ける。
【０００９】
壁面取付及び据え置きなどにおいては、前記各取付金具を、前記筐体側面の筐体背面近傍に、一方の前記取付部を前記筐体側面に沿わせつつ筐体前方に向けて配置して、当該取付部の前記筐体取付孔を利用して取り付けるとともに、他方の前記取付部を壁面に当接させた状態で、当該壁面と筐体背面と間に、通気用の一定のクリアランスを生じさせることを特徴としている。
【００１０】
この請求項１に係る電子機器用筐体取付金具によれば、前記電子機器用筐体の設置を、ラック取付又は壁面取付或いは据え置きなどのいずれの方法で行う場合にも共用でき、かつ壁面取付又は据え置きした場合に、前記電子機器用筐体の前記筐体背面と壁面との間に、一定のクリアランスを生じさせることができる。
【００１１】
即ち、ラック取付においては、前記各取付金具を、前記筐体側面の筐体正面近傍に、一方の前記取付部を前記筐体側面に沿わせつつ筐体後方に向けて配置して、当該取付部の前記筐体取付孔を利用して取り付けるとともに、他方の前記取付部を、その前記ラック取付孔又は切欠きを利用して収納ラックに取り付ける。このように、前記電子機器用筐体を、前記両筐体側面を支持した状態で、前記収納ラックに取り付けて設置することができる。
【００１２】
一方、壁面取付においては、前記各取付金具を、前記筐体側面の筐体背面近傍に、一方の前記取付部を前記筐体側面に沿わせつつ筐体前方に向けて配置して、当該取付部の前記筐体取付孔を利用して取り付けるとともに、他方の前記取付部を壁面に当接させ、当該取付部の前記ラック取付孔又は切欠きを使用して前記壁面に取り付ける。このようにすれば、前記電子機器用筐体を、前記筐体背面と前記壁面との間に、一定のクリアランスを生じさせながら壁面取付による設置を行なうことができる。なお、前記取付金具を前記筐体側面に取り付ける際、左右の前記取付金具の前記他方の取付部が、互いに向き合うように内向きに配置しても良いし、前記他方の取付部が互いに逆向きとなるように外向きに配置しても良い。また、前記壁面に取り付ける前記他方の取付部に、前記筐体取付孔が設けられている場合や、別の取付孔などが設けられている場合には、これらを利用することもできる。
【００１３】
そして、据え置きの場合は、上記壁面取付の場合と同様にして、前記各取付金具を左右の前記筐体側面にそれぞれ取り付けることで、前記電子機器用筐体を壁際に設置した場合であっても、前記筐体背面と前記壁面との間に一定のクリアランスを生じさせながら、据え置きによる前記電子機器用筐体の設置が行なえる。
【００１４】
請求項２記載の電子機器用筐体取付金具は、ラック取付孔又は切欠きを、複数の規格に対応するピッチで設け、異なる前記規格の前記ラック取付孔又は切欠きを、異なる形状で形成することを特徴としている。この請求項２に係る電子機器用筐体取付金具は、異なる規格で製造されている前記収納ラックに対しても共用することができ、且つ前記電子機器用筐体の前記収納ラックへの取付作業において、前記他方の取付部を前記収納ラックに取り付けする際、使用する前記ラック取付孔又は切欠きが一目でわかり、効率良く作業を行うことができる。
【００１５】
請求項３記載の電子機器用筐体取付金具は、ラック取付の筐体取付孔と、壁面取付及び据え置きの筐体取付孔とを別々に設け、前記ラック取付において、各筐体側面に取り付けられた取付金具の他方の取付部が、筐体正面と面一の状態になるようにすることを特徴としている。
【００１６】
この請求項３に係る電子機器用筐体取付金具は、前記他方の取付部が、前記筐体正面と面一の状態になるため、前記電子機器用筐体が、前記収納ラックからはみ出した状態になることを避けることができる。
【００１７】
請求項４記載の電子機器用筐体は、左右の各筐体側面を一対の取付金具によってそれぞれ支持させて、ラック取付又は壁面取付或いは据え置きなどの方法により設置することができる電子機器用筐体であって、前記各取付金具を、横断面において一対の取付部がＬ字状をなし、少なくとも一方の当該取付部には、前記筐体側面に取り付ける筐体取付孔を設け、少なくとも他方の当該取付部には、前記収納ラックに取り付けるラック取付孔又は切欠きを設ける。
【００１８】
そして、前記ラック取付においては、前記各取付金具を、前記筐体側面の筐体正面近傍に、一方の前記取付部を前記筐体側面に沿わせつつ筐体後方に向けて配置して、当該取付部の前記筐体取付孔を利用して取り付けるとともに、他方の前記取付部を、その前記ラック取付孔又は切欠きを利用して前記収納ラックに取り付ける。
【００１９】
壁面取付及び据え置きにおいては、前記各取付金具を、前記筐体側面の筐体背面近傍に、一方の前記取付部を前記筐体側面に沿わせつつ筐体前方に向けて配置して、当該取付部の前記筐体取付孔を利用して取り付けるとともに、他方の前記取付部が壁面に当接した状態で、当該壁面と前記筐体背面と間に、通気用の一定のクリアランスを生じさせることを特徴としている。
【００２０】
この請求項４に係る電子機器用筐体によれば、上記請求項１に係る電子機器用筐体取付金具の作用と同じように、ラック取付又は壁面取付或いは据え置きなどのいずれの方法でも設置することができ、しかも、共通の取付金具を用いて行なうことができる。さらに、壁面取付又は据え置きする場合には、前記筐体背面と前記壁面との間に、通気用の一定のクリアランスを生じさせながら設置することができる。
【発明の効果】
【００２１】
請求項１に係る電子機器用筐体取付金具は、ラック取付又は壁面取付或いは据え置きなどのいずれの設置方法であっても用いることができるため、それぞれの設置方法に対して専用の取付金具を用意する必要がなく、部品点数を減らすことができる。また、壁面取付や据え置きによる設置を行う場合、誰が設置しても筐体背面と壁面との間に通気用の一定のクリアランスが生じるため、特に、筐体背面に通気孔がある場合など、設置ミスによる機器内部の温度上昇を回避することができ、故障や不具合の発生を防止することができる。
【００２２】
請求項２に係る電子機器用筐体取付金具は、異なる規格の収納ラックに対応できる汎用性を備えているため、収納ラックごとに取付金具を設ける必要がなく、部品点数を減らすことができる。また、専門的な技術を有していなくても、どのラック取付孔又は切欠きを使用すれば良いかが一目でわかるため、手軽に電子機器用筐体の設置を行うことができる。
【００２３】
請求項３に係る電子機器用筐体取付金具は、電子機器用筐体に収容されている電子機器ユニットを、不用意な接触から保護することができ、部品の損傷や接続されているケーブルの脱落などを防止することができる。
【００２４】
請求項４に係る電子機器用筐体は、ラック取付又は壁面取付或いは据え置きなどのいずれの設置方法にも対応可能で、各設置方法に対して専用の取付金具を設ける必要がなく、部品点数を減らすことができる。また、壁面取付や据え置きによる設置を行う場合、誰が設置しても筐体背面と壁面との間に通気用の一定のクリアランスが生じるため、設置ミスによる機器内部の温度上昇を回避することができ、故障や不具合の発生を防止することができる。
【図面の簡単な説明】
【００２５】
【図１】本発明に係る電子機器用筐体取付金具の実施形態を示し、（ａ）は正面図、（ｂ）は左側面図、（ｃ）は平面図、（ｄ）は本発明に係る電子機器用筐体取付金具の別の実施形態の平面図。
【図２】（ａ）は電源ユニット及び地デジ・アナログコンバータを収容した本発明に係る電子機器用筐体の正面図、（ｂ）は電子機器用筐体の背面図。
【図３】第２図（ａ）におけるＡ−Ａ矢視方向の断面の概略図。
【図４】ラック取付の場合における電子機器用筐体取付金具の取付状態を示し、（ａ）は電子機器用筐体の正面図、（ｂ）は電子機器用筐体の左側面図、（ｃ）は電子機器用筐体の平面図。
【図５】ＪＩＳ規格のラックに取り付けた電子機器用筐体の取付図。
【図６】ＥＩＡＪ規格のラックに取り付けた電子機器用筐体の取付図。
【図７】ラック取付の場合における電子機器用筐体取付金具の別の取付状態を示す電子機器用筐体の正面図。
【図８】壁面取付の場合における電子機器用筐体取付金具の取付状態を示し、（ａ）は電子機器用筐体の左側面図、（ｂ）は電子機器用筐体の背面図、（ｃ）は電子機器用筐体の平面図。
【図９】（ａ）は壁面取付けの場合の電子機器用筐体の取付図、（ｂ）は電子機器用筐体を壁面取付により設置した状態を示す平面図。
【図１０】据え置きの場合における電子機器用筐体取付金具の取付状態を示し、（ａ）は電子機器用筐体の左側面図、（ｂ）は電子機器用筐体の背面図、（ｃ）は電子機器用筐体の平面図。
【図１１】（ａ）は図１０の取付状態を示す後方斜め上方からの斜視図、（ｂ）は据え置きした状態を示す平面図。
【発明を実施するための形態】
【００２６】
本発明に係る電子機器用筐体取付金具及び電子機器用筐体の実施形態について、第１図〜第１１図を参照しつつ説明する。
【００２７】
第１図の（ａ）図は、左右一対の電子機器用筐体取付金具１（以下、取付金具１とも記載する）のうち、電子機器用筐体１０（以下、筐体１０とも記載する）の右側面に配置する取付金具１の正面図を示しており、（ｂ）図は、取付金具１の左側面図を示し、（ｃ）図は、取付金具１の平面図を示している。筐体１０の左側面に配置する取付金具は、右側面のものと左右対称の形状であるため図示は省略し、同一の符号を用いて説明することとする。
【００２８】
取付金具１は、Ｌ字状の横断面形状を有し、後述する筐体１０の高さに相当する長さを備えたＬ型鋼であり、Ｌ字の各辺に相当する部分がそれぞれ取付部２、３になっている。これら一対の取付部２，３のうち、一方の取付部２（筐体側取付部２）には、筐体１０の側面に取り付ける際に利用可能な複数の筐体取付孔４、５が、筐体１０の螺子孔と同一のピッチで、縦方向に二列に並んだ状態で設けられている（第１図（ｂ）図）。一方、他方の取付部３（ラック側取付部３）には、収納ラックに取り付ける際に利用可能な複数のラック取付孔６、７が、筐体側取付部２と反対に位置する側縁部３ａに沿って縦方向に一列で設けられている（第１図（ａ）図）。このラック側取付部３に設けられている取付孔６、７は、ＪＩＳ規格（日本工業規格）に適合するピッチで設けられた取付孔６と、ＥＩＡＪ（日本電子機械工業会）の規格に適合するピッチで設けられた取付孔７とが、一列に混在した状態で設けられている。そして、ＪＩＳ規格の取付孔６は、ＥＩＡＪの規格の取付孔７と区別し易いように、切欠き状に形成されている。なお、第１図（ｄ）図に示す取付金具の別の実施形態のように、取付金具１’は、ラック側取付部３を僅かに延長した形状とすることもできる。
【００２９】
次に、取付金具１を用いて、ラック取付又は壁面取付或いは据え置きなどの方法により、筐体１０を設置する場合について説明する。
【００３０】
第２図（ａ）の正面図に示すように、筐体１０は、筐体正面１０ａに挿入部１０ｂが開口されているボックス型の形状となっている。そして、幅方向の寸法を抑えた縦長ボックス形状の電源ユニット１１と、電源ユニット１１と同様のボックス形状を有する地デジ・アナログコンバータユニット１２とが、挿入部１０ｂから挿入されて所定の位置に収容されている。地デジ・アナログコンバータユニット１２は、地上デジタル放送のチャンネルを既存のアナログテレビで視聴できるように、デジタル波をアナログ波に変換する装置であり、各チャンネルに一台ずつ設けられている。本実施形態の場合は、８台の地デジ・アナログコンバータユニット１２が収容されており、８チャンネルに対応できるようになっている。また、筐体１０の筐体背面１０ｃの上部には、第２図（ｂ）の背面図に示すように、複数の縦方向のスリット１０ｄが幅方向に等間隔で形成されており、このスリット群１０ｅを、上下方向に三段配設することにより通気孔１０ｆが設けられている。そして、筐体１０に収容されている電源ユニット１１及び地デジ・アナログコンバータユニット１２には、第３図の断面図、即ち、第２図（ａ）におけるＡ−Ａ矢視方向断面に示すように、その背面１２ａにおける筐体１０の通気孔１０ｆと対向する位置に、内部を換気することで装置の冷却を行なう空冷ファン１３が配設されている。なお、符号１４は、分配混合ユニットを示している。また、筐体１０の筐体底面１０ｇの四隅には、据え置き用のゴム製の脚１５が設けられている。
【００３１】
このようにして、電源ユニット１１や地デジ・アナログコンバータユニット１２が収容されている筐体１０を、収納ラックに取り付けて設置する場合は、第４図（ａ）の正面図に示すように、取付金具１を、筐体１０の左右の筐体側面１０ｈにそれぞれ配置する。そして、第４図（ｂ）の左側面図に示すように、筐体側取付部２を筐体側面１０ｈに沿わせつつ筐体後方に向けて配置して、筐体側取付部２のラック側取付部３寄りに位置する内側の筐体取付孔５を利用して、筐体側面１０ｈに螺子止めを行なう。こうして、取付金具１を筐体側面１０ｈに取り付ければ、第４図（ｃ）の平面図に示すように、ラック側取付部３が筐体１０の側方に張り出した状態で、ラック側取付部３と筐体正面１０ａとが、面一の状態になる。よって、筐体１０が収納ラックからはみ出した状態になることが回避でき、収容されている電源ユニット１１や地デジ・アナログコンバータユニット１２を、不用意な接触から保護して、部品の損傷や接続されているケーブルの脱落などのトラブルを防ぐことができる。
【００３２】
そして、ラック側取付部３のラック取付用切欠き６又はラック取付孔７を利用して、収納ラック１００、１０１に螺子止めを行なう。収納ラック１００、１０１は、後述の第５図及び第６図に示すように、左右両側に取付部１００ａ、１０１ａが配設されており、各取付部１００ａ、１０１ａには、縦方向に規格に準じたピッチで複数の螺子孔１００ｂ、１０１ｂが穿設されている。第５図の取付図に示すラック１００は、ＪＩＳ規格に準じたものであり、その場合は、ラック側取付部３のラック取付用切欠き６を使って螺子止めを行なう。また、第６図の取付図に示すラック１０１は、ＥＩＡＪの規格に準じたものであり、その場合は、長穴状のラック取付孔７を使って螺子止めを行なう。
【００３３】
なお、取付金具１は、筐体側取付部２の外側の取付孔４を使って、筐体側面１０ｈに螺子止めを行なうこともでき、その場合は、第７図の正面図に示すように、取付金具１が前方にオフセットされ、ラック側取付部３が、筐体正面１０ａから前方に突出した状態になる。これにより、収納ラックに取り付けた筐体正面１０ａの位置が奥にシフトするため、筐体１０に収容されている電源ユニット１１や地デジ・アナログコンバータユニット１２を、さらに不用意な接触から保護することができ、部品の損傷や接続されているケーブルの脱落などのトラブルの発生を防止することができる。
【００３４】
次に、壁面取付による筐体１０の設置について説明する。第８図における（ａ）の左側面図及び（ｂ）の背面図に示すように、取付金具１を、筐体１０の両筐体側面１０ｈにそれぞれ配置する。そして、筐体側取付部２を筐体側面１０ｈに沿わせつつ筐体前方に向けて配置し、且つ左右の取付金具１のラック側取付部３が、互いに逆向きとなるように配置して、筐体側取付部２の外側の取付孔４を利用して、筐体側面１０ｈに螺子止めを行なう。このように、取付金具１を筐体側面１０ｈに取り付けると、第８図の（ｃ）の平面図に示すように、ラック側取付部３が、筐体１０の筐体背面１０ｃから後方に突出した状態となる。
【００３５】
この筐体１０を、第９図（ａ）に示すように、取付金具１のラック側取付部３を壁面Ｗに当接させて、ラック取付用切欠き６又はラック取付孔７を使って、壁面Ｗに螺子止めを行なう。壁面Ｗに設置された筐体１０は、第９図（ｂ）の平面図に示すように、その筐体背面１０ｃと壁面Ｗとの間に通気用の一定のクリアランスＣが生じるため、第３図の矢印で示しているように、筐体背面１０ｃの通気孔１０ｆにおける空気の出入りが妨げられることがない。よって、通気孔１０ｆを通じて空冷ファン１３により行なわれる電源ユニット１１や地デジ・アナログコンバータユニット１２の冷却が、適正に行なわれる。
【００３６】
次に、据え置きによる筐体１０の設置について説明する。筐体１０を据え置きする場合は、第１０図における（ａ）の左側面図及び（ｂ）の背面図に示すように、取付金具１を、筐体１０の左右の筐体側面１０ｈにそれぞれ配置する。この際、筐体側取付部２を筐体後方に向け、且つ左右の取付金具１のラック側取付部３が互いに向きあうように、ラック側取付部３を内向きにして配置する。そして、筐体側取付部２を、外側の筐体側取付孔４を利用して筐体側面１０ｈに螺子止めを行なう。こうして、取付金具１を、筐体側面１０ｈに取り付ければ、第１０図の（ｃ）の平面図及び第１１図（ａ）の後方斜め上方からの斜視図に示すように、ラック側取付部３が筐体背面１０ｃよりも後方に突出した状態になる。
【００３７】
この取付金具１が取り付けられた筐体１０を、専用台に置くなどして壁際に設置すれば、第１１図（ｂ）に示すように、筐体１０の筐体背面１０ｃと壁面Ｗとの間に通気用の一定のクリアランスＣが生じる。よって、壁面取付の場合と同様、筐体背面１０ｃの通気孔１０ｆにおける空気の出入りが妨げられることがなく、通気孔１０ｆを通じて空冷ファン１３により行なわれる電源ユニット１１や地デジ・アナログコンバータユニット１２の冷却が、適正に行なわれる。
【００３８】
以上、壁面取付や据え置きする場合で説明したように、誰が筐体１０の設置を行っても、筐体１０と壁面Ｗとの間に通気用の一定のクリアランスが生じ、空気の流れが阻害されないため、空冷機能や放冷機能が損なわれることがない。また、取付金具１は形状がシンプルであるため、専門的な技術を有していなくても、筐体１０を手軽に設置することができる。
【００３９】
なお、図示は省略するが、壁面取付及び据え置きによる設置の場合、ラック側取付部を内外逆向きにすることも可能である。そして、壁面取付の場合に、ラック側取付部３を内向きにすれば、側方の壁面に干渉物がある場合でもそれを回避して設置することができる。また、据え置きの場合に、ラック側取付部３を外向きにすれば、筐体１０が、壁面側を中心として左右方向に旋回することを防ぎ、位置ずれしにくくすることができる。
【符号の説明】
【００４０】
１        電子機器用筐体取付金具（取付金具）
２        取付部（筐体側取付部）
３        取付部（ラック側取付部）
４、５    筐体取付孔
６、７    ラック取付孔
１０      電子機器用筐体（筐体）
１０ａ    筐体正面
１０ｂ    挿入部
１０ｃ    筐体背面
１０ｄ    スリット
１０ｅ    スリット群
１０ｆ    通気孔
１０ｇ    筐体底面
１０ｈ    筐体側面
１１      電源ユニット
１２      地デジ・アナログコンバータユニット
１２ａ    背面
１３      空冷ファン
１４      分配混合ユニット
１５      脚
１００    収納ラック
１００ａ  取付部
１００ｂ  螺子孔
１０１    収納ラック
１０１ａ  取付部
１０１ｂ  螺子孔
Ｃ        クリアランス
Ｗ        壁面
【図１】
2010192490.tif 000003
【図２】
2010192490.tif 000004
【図３】
2010192490.tif 000005
【図４】
2010192490.tif 000006
【図５】
2010192490.tif 000007
【図６】
2010192490.tif 000008
【図７】
2010192490.tif 000009
【図８】
2010192490.tif 000010
【図９】
2010192490.tif 000011
【図１０】
2010192490.tif 000012
【図１１】
2010192490.tif 000013